(57)【要約】【課題】  単波長の光源の原色を用いる場合においても、特異色覚者に色の変化を感じさせることができる映像信号処理装置を提供する。【解決手段】  映像信号処理装置は、第１原色信号、第２原色信号、及び第３原色信号を含む第１映像信号が入力され、前記第１原色信号の強度に応じて前記第２原色信号及び前記第３原色信号の信号強度を増大させる補正を行い、前記第１原色信号と、補正後の前記第２原色信号及び前記第３原色信号とを含むる第２映像信号を出力する信号調整部を備える。【選択図】図５
2016020965.tif 000002
【特許請求の範囲】
【請求項１】
第１原色信号、第２原色信号、及び第３原色信号を含む第１映像信号が入力され、前記第１原色信号の強度に応じて前記第２原色信号及び前記第３原色信号の信号強度を増大させる補正を行い、前記第１原色信号と、補正後の前記第２原色信号及び前記第３原色信号とを含む第２映像信号を出力する信号調整部を備える、映像信号処理装置。
【請求項２】
前記信号調整部は、前記第２原色信号の信号レベルが所定の閾値より大きい場合は、前記第２原色信号の信号強度を増大させる度合をゼロにする、又は、前記第３原色信号の信号レベルが所定の閾値より大きい場合は、前記第３原色信号の信号強度を増大させる度合をゼロにする、請求項１記載の映像信号処理装置。
【請求項３】
前記信号調整部は、前記第２原色信号の信号レベルが所定の閾値より大きく、かつ、前記第３原色信号の信号レベルが所定の閾値より大きい場合において、前記第１原色信号の信号レベルが所定の閾値以下の場合には、前記第２原色信号の信号レベルと前記第３原色信号の信号レベルとをそれぞれ所定の信号レベルだけ低減した上で、前記第１原色信号の強度に応じて前記第２原色信号及び前記第３原色信号の信号強度を増大させる補正を行う、請求項１記載の映像信号処理装置。
【請求項４】
前記信号調整部は、前記第２原色信号の信号レベルが所定の閾値より大きく、かつ、前記第３原色信号の信号レベルが所定の閾値より大きい場合において、前記第１原色信号の信号レベルが所定の閾値より大きい場合には、前記第２原色信号及び前記第３原色信号の信号強度を増大させる度合をゼロにする、請求項１記載の映像信号処理装置。
【請求項５】
前記信号調整部と並列に設けられ、前記第１映像信号を伝送するバイパス線と、
前記信号調整部と前記バイパス線との入力側に設けられて前記第１映像信号が入力され、前記第１映像信号の出力先を前記信号調整部又は前記バイパス線に切り替える切替部と
をさらに備える、請求項１乃至４のいずれか一項記載の映像信号処理装置。
【発明の詳細な説明】
【技術分野】
【０００１】
本発明は、映像信号処理装置に関する。
【背景技術】
【０００２】
従来より、色覚が特異な者（以下、特異色覚者）に見えにくい色の組み合わせを補正する技術が提案されている（例えば、非特許文献１、特許文献1参照）。これらは、広帯域な光源を用いたディスプレイを前提にしており、例えば、特異色覚者が色の変化を感じ易くするために、輝度差の情報を活用して赤光源の発光を増強している。
人間の色を識別する視細胞にはＳ錐体、Ｍ錐体、Ｌ錐体があり、それぞれ、短(Short)波長、中(Medium)波長、長(Long)波長に対応している。また、広帯域な光源の３原色（Ｂ、Ｇ、Ｒ）の波長域は、それぞれ、２つ以上の錐体が認識しうる波長域と重なっている。
【０００３】
このため、広帯域な光源を用いたディスプレイを用いる場合には、従来の補正技術によって隣接する錐体の感度を増大させるように３原色の発光を調整することにより、特異色覚者が色の変化を感じる状態を改善できる。
【先行技術文献】
【非特許文献】
【０００４】
【非特許文献１】Y-C Chen et al "Preference of Color Images with Color-weak Correction Assessed by Color Anomalous and Normal Observers" VHF7-2, International Display Workshops 2011.
【特許文献】
【０００５】
【特許文献１】特公平６−８２３８５号公報
【発明の概要】
【発明が解決しようとする課題】
【０００６】
ところで、最近は、スーパーハイビジョン等のように単波長の原色（単波長原色）を用いるディスプレイがある。単波長原色とは、原色光源のスペクトルの半値幅が狭まってほぼ単色光になっている原色である。
【０００７】
スーパーハイビジョン等のように単波長の原色（単波長原色）を用いるディスプレイでは、各単波長原色は、各単波長原色を認識する錐体に隣接する錐体では殆ど認識されない場合があるため、上述のような補正技術で補正を行っても、十分な改善は望めないおそれがある。
【０００８】
そこで、単波長の光源の原色を用いる場合においても、特異色覚者に色の変化を感じさせることができる映像信号処理装置を提供することを目的とする。
【課題を解決するための手段】
【０００９】
本発明の実施の形態の映像信号処理装置は、第１原色信号、第２原色信号、及び第３原色信号を含む第１映像信号が入力され、前記第１原色信号の強度に応じて前記第２原色信号及び前記第３原色信号の信号強度を増大させる補正を行い、前記第１原色信号と、補正後の前記第２原色信号及び前記第３原色信号とを含む第２映像信号を出力する信号調整部を備える。
【発明の効果】
【００１０】
単波長の光源の原色を用いる場合においても、特異色覚者に色の変化を感じさせることができる映像信号処理装置を提供することができる。
【図面の簡単な説明】
【００１１】
【図１】様々な映像システムの３原色を示す色度図である。
【図２】人間の視細胞のＬ錐体、Ｍ錐体、Ｓ錐体の波長特性に、従来のディスプレイの3原色光源の分光特性を重ねた模式図である。
【図３】人間の視細胞のＬ錐体、Ｍ錐体、Ｓ錐体の特性に、単波長原色Ｂ、Ｇ、Ｒの光源の分光特性を重ねた模式図である。
【図４】実施の形態の映像信号処理装置における映像信号の補正の概念を説明する図である。
【図５】実施の形態の映像信号処理装置１００の構成を示すブロック図である。
【図６】実施の形態の映像信号処理装置１００の信号調整部１４０が行う映像信号の補正処理を示すフローチャートである。
【発明を実施するための形態】
【００１２】
本発明の映像信号処理装置を適用した実施の形態について説明するにあたり、まず、発明の背景について説明する。
【００１３】
スーパーハイビジョンに代表される次世代映像システムにおいては、画面解像度、フレーム周波数、ビット深度の向上による画質改善に加え、色域の拡大(Wide gamut)による画質改善も提案されている。
色域の拡大の手段としては、原色数の増加なども提案されているが、コストパフォーマンスや信号処理の利便性などの観点から、3原色方式を維持した上で、3原色の色度図上の座標を従来よりも外側に設定することにより、色再現範囲を拡大する手法が主流になっており、ITU-R（International Telecommunication Union Radiocommunications Sector：国際電気通信連合 無線通信部門）における標準化も進んでいる(例えば、"ITU-R Recommendation ITU-R BT.2020" 参照[２０１４年６月４日検索] http://www.itu.int/dms_pubrec/itu-r/rec/bt/R-REC-BT.2020-0-201208-I!!PDF-E.pdf)。
図1は、様々な映像システムの３原色を示す色度図である。馬蹄型の領域の内部が人間に見える色の範囲を表しており、その中において、HDTV(High Definition Television)、D-Cinema Ref. PJ (デジタルシネマ)、Adobe RGB, SHV(Super High Vision：スーパーハイビジョン)の順に範囲が広くなっている。
【００１４】
色再現範囲の拡大は、物理的には、各原色の飽和度を高め、かつ赤と青の原色の波長を可視域の両端方向に動かすことに相当する。すなわち、波長ドメインで見ると、各原色光源のスペクトルの半値幅が狭まってほぼ単色光の原色（以下、単波長原色と称す）となり、青原色がより短波長側に、赤原色がより長波長側に設定されていることに相当する。また、家庭用テレビ等でも、レーザー等の単色光源を採用した製品が普及することが期待されている。
単波長原色を用いると、システムの色再現能力が大幅に向上し、現実のほぼすべての物体色をカバーできると言われている(例えば、NHK技研 R&D/No.137/2013.1pp.10-19参照)。これは一般の視聴者にとっては大変魅力的なメリットであり、その普及が多いに期待される。その一方で、特異色覚者のように通常とは異なる色覚を有する視聴者（所謂色弱や色覚異常の者)にとっては、Ｌ錐体、Ｍ錐体、Ｓ錐体のいずれかで認識できない単波長原色が生じうる。
図２は、人間の視細胞のＬ錐体、Ｍ錐体、Ｓ錐体の波長特性に、従来のディスプレイの３原色光源の分光特性を重ねた模式図である。
【００１５】
色覚が正常な人には、Ｌ錐体、Ｍ錐体、Ｓ錐体の３極がある。これらは、この順に長波長側に短波長側にかけて感度ピークを持つ。
【００１６】
特異色覚者は、色覚が正常な人に３極あるＬ錐体、Ｍ錐体、Ｓ錐体のうちのいずれか１つ、または２つ、あるいは全ての働きが低下しているか、正常の人とは特性が異なっている。以下、比較的多い特異色覚者である、Ｌ錐体を欠く人（１型色覚）を例に説明する。
【００１７】
また、図２に示すように、従来のディスプレイの３原色は、図２に示すＢ、Ｇ、Ｒの帯域のように、広い帯域を有する。単波長原色のディスプレイとは異なり、従来のディスプレイの原色光の分光特性は製品ごとに異なるので、図２に示すＢ、Ｇ、Ｒの帯域は、あくまでも帯域を概念的に示す。
【００１８】
１型色覚者が、従来型のテレビに表示された赤い物を見た場合、赤原色の中心波長が可視域の端よりも緑側に近い所に位置し、また、スペクトルの半値幅が広がっているため、通常のＬ錐体のみが感じる波長域は見えなくても、赤原色のスペクトラムがＭ錐体の波長域とも一部重なっている（細い縦線で示す領域を参照）。このため、１型色覚者は、Ｍ錐体を通じて何らかの視覚刺激を受容することができる。
【００１９】
図３は、人間の視細胞のＬ錐体、Ｍ錐体、Ｓ錐体の特性に、単波長原色Ｂ、Ｇ、Ｒの光源の分光特性を重ねた模式図である。
【００２０】
単波長原色を採用したテレビの場合、赤（Ｒ）原色が可視域の端に近い長波長となり、色純度が高くスペクトラムの半値幅が狭いため、Ｍ錐体が受光する波長域と重なる光が皆無に近くなる。このような光源の赤（Ｒ）原色は、１型色覚者には見えない可能性がある。
【００２１】
すなわち、例えば、黒地に赤い文字等を表示しても特異色覚者には読みにくく、その他にも見えにくい色の組み合わせが発生するおそれがある。
【００２２】
以下では、上述のような問題を解決する実施の形態について説明する。
【００２３】
＜実施の形態＞
図４は、実施の形態の映像信号処理装置における映像信号の補正の概念を説明する図である。図４には、人間の視細胞のＬ錐体、Ｍ錐体、Ｓ錐体の特性を示す。また、ここでは、一例として、１型色覚者に対する対策として、赤（Ｒ）原色の信号を出力する際に映像信号を補正する手法について説明する。
【００２４】
実施の形態の映像信号処理装置は、赤（Ｒ）原色の信号を出力する際に、ある所定の割合で、青（Ｂ）原色と緑（Ｇ）原色の信号を出力する。これは、図４に示すように、信号強度がＲ０の赤（Ｒ）原色の信号を出力する際に、信号強度がａｂＲ０の青（Ｂ）原色の信号と、信号強度がａｇＲ０の緑（Ｇ）原色の信号を出力することを意味する。
【００２５】
図４に示すように波長が６３０ｎｍの赤（Ｒ）原色の信号とＭ錐体の特性との重複が極めて少ない状態では、Ｌ錐体を有しない１型色覚者にとって、波長が６３０ｎｍの赤（Ｒ）原色の信号を認識することは困難である。
【００２６】
しかし、Ｌ錐体を有しない１型色覚者は、波長が４６７ｎｍの青（Ｂ）原色の信号と、波長が５３２ｎｍの緑（Ｇ）原色の信号とを認識することはできる。
【００２７】
このため、赤（Ｒ）原色の信号を出力する際に、ある所定の割合で、青（Ｂ）原色と緑（Ｇ）原色の信号を出力すれば、Ｌ錐体を有しない１型色覚者に対して、色の変化の様子を提供することができる。
【００２８】
従って、Ｌ錐体を有しない１型色覚者に、色の変化の様子を感じ取って貰うことができる。
【００２９】
なお、１型色覚者のＬ錐体の感度は個人差があるため、赤（Ｒ）原色の信号値に対する青（Ｂ）原色と緑（Ｇ）原色の信号値の割合をＬ錐体の感度に応じて調整することが理想的である。
【００３０】
図５は、実施の形態の映像信号処理装置１００の構成を示すブロック図である。図５には、映像信号処理装置１００をデジタルテレビ受信機に適用した形態を示す。
【００３１】
映像信号処理装置１００は、映像デコーダ１１０、色デコーダ１２０、スイッチ１３０、信号調整部１４０、Ｄ／Ａコンバータ１５０、及びバイパス線１６０を含む。なお、表示パネルがデジタルインターフェースである場合は、Ｄ／Ａコンバータ１５０は不要である。
【００３２】
映像デコーダ１１０には、映像ＥＳ(Elementary Stream)がデジタルテレビのチューナから入力される。映像デコーダ１１０は、映像ＥＳを映像信号にデコードし、色デコーダ１２０に出力する。
【００３３】
色デコーダ１２０は、映像デコーダ１１０から入力される映像信号を画素毎にデコードし、ＲＧＢ信号をスイッチ１３０に出力する。なお、ＲＧＢ信号も映像信号の一形態である。
【００３４】
スイッチ１３０は、３端子型のスイッチである。スイッチ１３０の３つの端子は、それぞれ、色デコーダ１２０、信号調整部１４０、バイパス線１６０に接続される。スイッチ１３０は、色デコーダ１２０から入力されるＲＧＢ信号の出力先を信号調整部１４０又はバイパス線１６０に選択的に切り替える。
【００３５】
なお、スイッチ１３０は、入力装置２００から入力される信号によって切り替えられる。入力装置２００は、例えば、リモコン操作機、指紋認証又は顔認証を行う認証装置である。例えば、利用者が信号調整部１４０による１型色覚者用の補正処理を利用する場合は、リモコン操作機でスイッチ１３０を切り替えればよい。
【００３６】
また、１型色覚者用の補正処理の要否を表すデータと、指紋認証又は顔認証で得られる認証データとを関連付けて入力装置２００の内部メモリ等に格納しておき、利用者がデジタルテレビを利用する際に、指紋認証又は顔認証で自動的に補正処理の要否を表す。
信号調整部１４０は、入力されるＲＧＢ信号に含まれるＲ信号の値に基づいてＧ、Ｂ信号の値を補正する処理を行う。信号調整部１４０としては、例えば、ＣＰＵ(Central Processing Unit)チップを用いることができる。信号調整部１４０は、Ｇ、Ｂ信号の値を補正した補正後のＲＧＢ信号をＤ／Ａコンバータ１５０に出力する。
【００３７】
なお、信号調整部１４０に入力されるＲＧＢ信号は、第１映像信号の一例であり、信号調整部１４０から出力されるＲＧＢ信号は、第２映像信号の一例である。また、Ｒ信号、Ｇ信号、Ｂ信号は、それぞれ、第１原色信号、第２原色信号、第３原色信号の一例である。
【００３８】
Ｄ／Ａコンバータ１５０は、信号調整部１４０から入力される補正後のＲＧＢ信号をアナログ変換して表示パネルに出力する。表示パネルは、例えば、液晶ディスプレイパネル、有機ＥＬ(Electroluminescence)ディスプレイパネル、プラズマディスプレイパネル、ブラウン管等である。
【００３９】
バイパス線１６０は、スイッチ１３０とＤ／Ａコンバータ１５０との間を接続しており、信号調整部１４０を利用しない場合に、信号調整部１４０をバイパスさせて、色デコーダ１２０から出力されるＲＧＢ信号をＤ／Ａコンバータ１５０に入力するために設けられている。
【００４０】
以上のような構成の映像信号処理装置１００に含まれる信号調整部１４０は、映像信号の補正処理を画素毎に次のように行う。
【００４１】
１型色覚者のための処理では、入力されたＲ信号の値に対し、演算処理で求めた強度のＢ信号及びＧ信号を生成し、元のＢ、Ｇ信号に加算することにより、Ｂ、Ｇ原色を補助的に発光させ、１型色覚者が色の変化を感じ取れるようにする。
この操作は、理論的にはＲ原色の飽和度を下げ、色度図上の座標を内側に移動するとの等価である。
【００４２】
従って、演算法としては、ＲＧＢ信号をｘｙ色度図またはｕｖ色度図にマッピングした上で座標変換を行い、その結果をＲＧＢ信号に戻す、という手順で行うこともできるが、以下のようにＲＧＢ信号を直接操作した方が簡便である。
【００４３】
最も簡単な手法では、線形演算によりＧ、Ｂ信号のレベルを求めればよい。すなわち、補正前の元の原色信号のレベルがＲ０、Ｇ０、Ｂ０の場合に、発光量をＲ＝Ｒ０、Ｇ＝Ｇ０＋ａｇＲ０、Ｂ＝Ｂ０＋ａｂＲ０とする。ａｇ、ａｂは、予め定めた定数である。
【００４４】
ただし、元のＧ、Ｂ信号と加算した結果、映像信号規格の上限値を超えることは避けなければならないので、最大値制限を設けた非線形演算を行う必要がある。ある原色信号の信号レベルが最大値に達すると、信号レベルをそれ以上増大させることはできなくなるので、他の原色信号が上限までまだ余裕があるなら、加算分をそちらに振り分ける。
【００４５】
例えば、Ｇ信号の値が予め決めた闘値を超えて最大値に近づいた場合は、ａｇ＝０としてＢ信号にのみ信号レベルの加算を行う。また、Ｂ信号の値が予め決めた闘値を超えて最大値に近づいた場合は、ａｂ＝０としてＧ信号にのみ信号レベルの加算を行う。
【００４６】
特殊な場合として、Ｇ、Ｂ信号の値がともに闘値を超えて最大の発光となる場合（すなわち、元のＲ信号の大きさによりシアン〜白が表現されている場合）がある。このような場合において、Ｒ信号の信号値がある基準値よりも大きい場合は、白色を表示していることになるため、補正を行わずに、元の色信号のままで表示を行うこととする。
【００４７】
一方、Ｇ、Ｂ信号の値がともに闘値を超えて最大の発光となる場合において、Ｒ信号の値が基準値以下の場合は、シアン色が表示されているため、Ｇ、Ｂ信号を一定量だけ低減した上で、Ｒ信号の値に基づいてＧ、Ｂ信号の値を補正する。
【００４８】
なお、３原色に加えて白色光源を有するＲＧＢＷディスプレイの場合には、Ｗ光源を補助的に発光させることもできる。すなわち、補正前の下のＷ信号の値をＷ０とした場合に、補正後のＷ信号の値をＷ＝Ｗ０＋ｗＲ０とすればよい。なお、ｗは、予め定めた定数である。
【００４９】
また、図５では、映像信号処理装置１００が、映像デコーダ１１０、色デコーダ１２０、スイッチ１３０、信号調整部１４０、Ｄ／Ａコンバータ１５０、及びバイパス線１６０を含む形態について説明したが、映像信号をデコードしないで済む場合は、映像デコーダ１１０及び色デコーダ１２０は不要となる。また、スイッチ１３０とバイパス線１６０は必ずしも含まれていなくてもよい。映像信号処理装置１００は、信号調整部１４０を含み、映像信号を補正できるように構成されていればよい。
【００５０】
図６は、実施の形態の映像信号処理装置１００の信号調整部１４０が行う映像信号の補正処理を示すフローチャートである。
【００５１】
信号調整部１４０は、ＲＧＢ信号が入力されると、処理を開始する。ここで、ＲＧＢ信号の各原色の信号レベルをＲ０、Ｇ０、Ｂ０とする。
【００５２】
まず、信号調整部１４０は、Ｇ信号の信号レベルＧ０が予め定めた闘値Ｇｔｈより大きく、かつ、Ｂ信号の信号レベルＢ０が闘値Ｂｔｈより大きいかどうかを判定する（ステップＳ１）。
【００５３】
信号調整部１４０は、Ｇ信号の信号レベルＧ０が闘値Ｇｔｈより大きく、かつ、Ｂ信号の信号レベルＢ０が予め定めた闘値Ｂｔｈより大きい状態ではない（Ｓ１：ＮＯ）と判定すると、Ｇ信号の信号レベルＧ０が闘値Ｇｔｈより大きく、かつ、Ｂ信号の信号レベルＢ０が闘値Ｂｔｈ以下であるかどうかを判定する（ステップＳ２）。
【００５４】
信号調整部１４０は、Ｇ信号の信号レベルＧ０が闘値Ｇｔｈより大きく、かつ、Ｂ信号の信号レベルＢ０が闘値Ｂｔｈ以下である状態ではない（Ｓ２：ＮＯ）と判定すると、Ｇ信号の信号レベルＧ０が闘値Ｇｔｈ以下であり、かつ、Ｂ信号の信号レベルＢ０が闘値Ｂｔｈより大きいかどうかを判定する（ステップＳ３）。
【００５５】
信号調整部１４０は、Ｇ信号の信号レベルＧ０が闘値Ｇｔｈ以下であり、かつ、Ｂ信号の信号レベルＢ０が闘値Ｂｔｈより大きい状態ではない（Ｓ３：ＮＯ）と判定すると、ＲＧＢ信号の赤原色の信号レベルをＲ０に応じて、緑原色の信号レベルＧ０と、青原色の信号レベルＢ０を補正して、補正後のＲＧＢ信号を出力する（ステップＳ４）。
【００５６】
補正後のＲＧＢ信号に含まれる各原色の信号レベルＲ、Ｇ、Ｂは、Ｒ＝Ｒ０、Ｇ＝Ｇ０＋ａｇＲ０、Ｂ＝Ｂ０＋ａｂＲ０となる。なお、ａｇ、ａｂは、予め定めた定数である。
【００５７】
また、信号調整部１４０は、ステップＳ２において、Ｇ信号の信号レベルＧ０が闘値Ｇｔｈより大きく、かつ、Ｂ信号の信号レベルＢ０が闘値Ｂｔｈ以下である状態である（Ｓ２：ＹＥＳ）と判定すると、定数ａｇを０にする（ステップＳ５）。Ｇ信号の信号レベルＧ０が闘値Ｇｔｈより大きく上限値に近づいているため、ａｇ＝０に設定することとしたものである。ａｇ＝０に設定することは、Ｇ信号の信号強度を増大させる度合をゼロにすることである。
【００５８】
また、信号調整部１４０は、ステップＳ３において、Ｇ信号の信号レベルＧ０が闘値Ｇｔｈ以下であり、かつ、Ｂ信号の信号レベルＢ０が闘値Ｂｔｈより大きい状態である（Ｓ３：ＹＥＳ）と判定すると、定数ａｂを０にする（ステップＳ６）。Ｂ信号の信号レベルＢ０が闘値Ｂｔｈより大きく上限値に近づいているため、ａｂ＝０に設定することとしたものである。ａｂ＝０に設定することは、Ｂ信号の信号強度を増大させる度合をゼロにすることである。
【００５９】
信号調整部１４０は、ステップＳ５、Ｓ６が終了すると、フローをステップＳ４に進行させ、ステップＳ５、Ｓ６で設定した定数ａｇ、ａｂをそれぞれ用いて、ＲＧＢ信号を補正する。
【００６０】
信号調整部１４０は、Ｇ信号の信号レベルＧ０が闘値Ｇｔｈより大きく、かつ、Ｂ信号の信号レベルＢ０が闘値Ｂｔｈより大きい状態である（Ｓ１：ＹＥＳ）と判定すると、Ｒ信号の信号レベルＲ０が闘値Ｒｔｈより大きいかどうかを判定する（ステップＳ７）。
【００６１】
信号調整部１４０は、ステップＳ７において、Ｒ信号の信号レベルＲ０が闘値Ｒｔｈ以下である（Ｓ７：ＮＯ）と判定すると、Ｇ、Ｂ信号を一定量Ｃだけ低減する（ステップＳ８）。
【００６２】
信号調整部１４０は、ステップＳ８が終了すると、フローをステップＳ４に進行させ、ステップＳ８で低減したＧ、Ｂ信号を用いて、ＲＧＢ信号を補正する。
【００６３】
これは、特殊な場合として、Ｇ、Ｂ信号の値がともに闘値を超えている場合において、Ｒ信号の値が基準値以下で、シアン色が表示されている場合に、Ｇ、Ｂ信号を一定量Ｃだけ低減した上で、Ｒ信号の値に基づいてＧ、Ｂ信号の値を補正する場合に相当する。
【００６４】
また、信号調整部１４０は、ステップＳ７において、Ｒ信号の信号レベルＲ０が闘値Ｒｔｈより大きい（Ｓ７：ＹＥＳ）と判定すると、ＲＧＢ信号の各原色の信号レベルを補正せずに、そのまま出力する。すなわち、Ｒ＝Ｒ０、Ｇ＝Ｇ０、Ｂ＝Ｂ０となる。ＲＧＢ信号の各原色の信号レベルを補正せずにそのまま出力することは、信号強度を増大させる度合をゼロにすることである。
【００６５】
Ｒ、Ｇ、Ｂ信号の値がすべて闘値を超えている場合は、白色を表示している場合であるため、補正を行わずに、元の色信号のままで表示を行うこととしたものである。
【００６６】
以上により、信号調整部１４０の処理が一巡する。信号調整部１４０は、映像信号が切り替わる度に、図６に示す処理を実行する。
【００６７】
従って、実施の形態によれば、特異色覚者に色の変化を感じさせることができる映像信号処理装置１００を提供することができる。
【００６８】
なお、以上では、Ｌ錐体の感度が低い１型色覚者用の補正について説明したが、Ｍ錐体の感度が低い２型色覚者の場合は、次のようにすればよい。
【００６９】
１型色覚者用の補正におけるＲをＧに置き換えるとともに、Ｇ、ＢをＲ、Ｂに置き換えて同様の補正処理を行うことにより、２型色覚者は色の変化の様子を感じ取れるようになる。Ｌ錐体の感度は、単波長原色のＲ信号とＧ信号の発光波長をカバーしているため、単波長化の影響は少ないが、上述のような補正により、２型色覚者に対応した映像信号の補正を実現できる。
【００７０】
また、Ｓ錐体の感度が低い３型色覚者の場合は、１型色覚者用の補正におけるＲをＢに置き換えるとともに、Ｇ、ＢをＲ、Ｇに置き換えて同様の補正処理を行うことにより、３型色覚者は色の変化の様子を感じ取れるようになる。
【００７１】
Ｍ、Ｌ錐体の感度は、単波長原色のＢの発光波長をカバーしている。また、色覚が正常な者でもＳ錐体の数はＭ、Ｌ錐体に比べると少ない。このため、単波長化の影響は１型色覚者及び２型色覚者よりも少ないが、上述のような補正により、３型色覚者に対応した映像信号の補正を実現できる。
【００７２】
また、補正処理による補正度合は、利用者の色覚の状態に応じて設定できることが望ましい。このような設定は、例えば、利用者がリモコン操作機等を操作して行ってもよいし、ディスプレイ等の表示装置が備え付けられる指紋認証装置のような認証装置で自動的に設定を読み出すように構成してもよい。また、内蔵カメラを有するスマートフォン、タブレット端末等で、もともと顔認証による利用者認証を行う認証装置を備えている場合は、このような認証装置を活用することにより、簡単に設定できるようにしてもよい。
実施の形態の映像信号処理装置１００は、現在及び将来のスーパーハイビジョンテレビへの応用が考えられる。また、パーソナルコンピュータ、スマートフォン、タブレットなどにおいても、広色域化は進展すると予想されるので、それらへの応用も可能である。
なお、以上では、単波長原色を用いた広色域ディスプレイに適用した形態について説明したが、広帯域な光源を用いたディスプレイに適用してもよい。
以上、本発明の例示的な実施の形態の映像信号処理装置について説明したが、本発明は、具体的に開示された実施の形態に限定されるものではなく、特許請求の範囲から逸脱することなく、種々の変形や変更が可能である。
【符号の説明】
【００７３】
１００  映像信号処理装置
１１０  映像デコーダ
１２０  色デコーダ
１３０  スイッチ
１４０  信号調整部
１５０  Ｄ／Ａコンバータ
１６０  バイパス線
【図１】
2016020965.tif 000003
【図２】
2016020965.tif 000004
【図３】
2016020965.tif 000005
【図４】
2016020965.tif 000006
【図５】
2016020965.tif 000007
【図６】
2016020965.tif 000008